(57)【要約】【課題】弁当箱の小さな仕切りや小さな食品容器等の樹脂食器類も、カゴにセットし、洗浄水の噴射で飛ばされることなく洗浄できる食器洗い機を提供する。【解決手段】洗浄槽（図示せず）内に配されると共に食器類（図示せず）を収納する上段カゴ４と、前記上段カゴ４の上面の右開口部４ａを覆うフタ２１とを備え、前記フタ２１を前記上段カゴ４の下面に収納できるようにしたもので、弁当箱の小さな仕切りや、小さな食品容器等の樹脂食器類１０ａを洗浄したいときは、それらを上段カゴ４の右開口部４ａよりセットした後、その右開口部４ａをフタ２１で覆うことにより、樹脂食器類１０ａがノズル３から噴射される洗浄水の噴射の力で飛ばされて、上段カゴ４から落下することが無く、また、フタ２１を使用しない時は、それを、上段カゴ４の下面に収納しておけるので、普段の使用にも邪魔にならないものである。【選択図】図２
2008125702.tif 000002
【特許請求の範囲】
【請求項１】
洗浄槽内に配されると共に食器類を収納するカゴと、前記カゴの上面の開口部の少なくとも一部を覆うフタとを備え、前記フタを前記カゴの下面に収納できるようにした食器洗い機。
【請求項２】
フタの上面を傾斜させた請求項１に記載の食器洗い機。
【請求項３】
カゴに、フタを立てて収納するためのフタ収納部を形成した請求項１または２に記載の食器洗い機。
【発明の詳細な説明】
【技術分野】
【０００１】
本発明は、カゴにセットした食器類などの被洗浄物に洗浄水を噴射して洗浄する食器洗い機に関するものである。
【背景技術】
【０００２】
従来の一般的な食器洗い機は、図５、６に示すように構成されていた（例えば、特許文献１参照）。以下、その構成について説明する。
【０００３】
図５、６に示すように、従来の食器洗い機は、前面に開口部１ａをもつ洗浄槽１と、開口部１ａを開閉する扉２と、洗浄槽１の底部中央に設けられ洗浄水を噴射するノズル３と、洗浄槽１内の上下に配され食器類１０がセットされる上段カゴ４と下段カゴ５などから構成されている。扉２を開けているときには、下段カゴ５は、扉２と洗浄槽１との間を前後方向に引き出し移動可能である。上段カゴ４は、前後方向に移動可能な洗浄槽１内の壁面に設けられたレール部６によって、支持されている。
【０００４】
また、下段カゴ５上の中央付近には、スプーン、フォーク、箸等のカトラリーの小物類１１を入れる小物入れ７が固定して設けられ、洗浄槽１の底部には、洗浄水を加熱するヒータ８が、洗浄槽１の下部の外側には、洗浄ポンプ９がそれぞれ設けられている。洗浄槽１内の下部には排水口１２が設けられている。
【０００５】
また、ヒータ８は、洗浄水を加熱するとともに、送風手段１３によって送風される空気を加熱するよう洗浄槽１の内面の底部に配設されている。送風手段１３は、洗浄槽１の外面の底部に設けられると共に、洗浄槽１の内面の下部に設けた送風口１４に連通している。
【０００６】
１５は、洗浄槽１内の空気を排出するための排気口で、洗浄槽１の開口部１ａを覆う扉２の上方に設けられ、送風手段１３による強制排気が、扉体２の前面から排出するよう構成されている。
【０００７】
次に、上記従来の食器洗い機の動作について説明する。
【０００８】
先ず、扉２を開いて、扉２上に下段カゴ５を引き出して、下段カゴ５に食器類１０を、小物入れ７に小物類１１をそれぞれセットする動作と、上段カゴ４を前方に引き出して食器類１０をセットする動作を行う。そして、食器洗い機の運転を開始すると、洗浄槽１内の洗浄水は、ヒータ８によって温水化され、洗浄ポンプ９にて洗浄槽１内の排水口１２から吸い込まれ、ノズル３に圧送され、ノズル３から勢いよく噴射される。なお、ノズル３は回転しながら、洗浄水を噴射する。このようにして、上段カゴ４、下段カゴ５にセットされた食器類１０、小物入れ７にセットされた小物類１１が洗浄される。
【０００９】
その後、食器類１０をすすぐ、すすぎ行程を行う。次に、送風手段１３を駆動することによって、送風口１４から乾いた空気が洗浄槽１内に圧送され、洗浄槽１内の湿った空気は排気口１５より洗浄槽１外に排出され、同時に、洗浄槽１内に圧送された空気はヒータ８によって加熱され、その温風が食器類１０の間を通り、食器類１０に付着している水滴を蒸発させ、また食器類１０を直接加熱し、食器類１０を温め乾かす乾燥行程を行い、運転を終了する。
【特許文献１】特開２００２−３００９９６号公報
【発明の開示】
【発明が解決しようとする課題】
【００１０】
しかしながら、上記従来の食器洗い機の構成では、弁当箱の小さな仕切りや小さな食品容器等の樹脂食器類を上段カゴ４や下段カゴ５にセットすると、ノズル３から噴射される洗浄水の噴射の力で飛ばされ、上段カゴ４や下段カゴ５から落下したり、特に、落下した樹脂食器類がヒータ８上に落ちた場合、乾燥行程で溶けるなどの問題があり、食器洗い機で樹脂食器類を洗浄できないという課題があった。
【００１１】
本発明は、上記従来の課題を解決するもので、弁当箱の小さな仕切りや小さな食品容器等の樹脂食器類も、カゴにセットし、洗浄できる食器洗い機を提供することを目的とするものである。
【課題を解決するための手段】
【００１２】
上記従来の課題を解決するために、洗浄槽内に配されると共に食器類を収納するカゴと、前記カゴの上面の開口部の少なくとも一部を覆うフタとを備え、前記フタを前記カゴの下面に収納できるようにしたもので、弁当箱の小さな仕切りや、小さな食品容器等の樹脂食器類を洗浄したいときは、それらをカゴにセットし、カゴの上面の開口部をフタで覆うことにより、樹脂食器類がノズルから噴射される洗浄水の噴射の力で飛ばされて、カゴから落下することが無く、また、フタを使用しない時は、それをカゴの下面に収納しておけるので、普段の使用にも邪魔にならないものである。
【発明の効果】
【００１３】
本発明の食器洗い機は、従来の食器洗い機では洗浄できなかった、弁当箱の小さな仕切りや小さな食品容器等の樹脂食器類も、カゴにセットし、洗浄することができる。
【発明を実施するための最良の形態】
【００１４】
第１の発明は、洗浄槽内に配されると共に食器類を収納するカゴと、前記カゴの上面の開口部の少なくとも一部を覆うフタとを備え、前記フタを前記カゴの下面に収納できるようにしたもので、弁当箱の小さな仕切りや、小さな食品容器等の樹脂食器類を洗浄したいときは、それらをカゴにセットし、カゴの上面の開口部をフタで覆うことにより、樹脂食器類がノズルから噴射される洗浄水の噴射の力で飛ばされて、カゴから落下することが無く、また、フタを使用しない時は、それをカゴの下面に収納しておけるので、普段の使用にも邪魔にならないものである。
【００１５】
第２の発明は、特に、第１の発明のフタの上面を傾斜させたもので、フタをカゴの下面に収納している時に、湯呑などの糸底のある食器類を、フタの上面に伏せ置きしてセットすると、傾斜により食器類が傾くので、糸底に溜まる水滴を少なくでき、湯呑などの糸底のある食器類の乾燥性能を向上させることができるものである。
【００１６】
第３の発明は、特に、第１又は第２の発明のカゴに、フタを立てて収納するためのフタ収納部を形成したもので、フタをカゴの下面に収納するときより、ノズルから噴射される洗浄水を、食器類等の洗浄物に直接当てることができるので、洗浄性能が良くなるものである。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における食器洗い機の側断面図、図２、図３は、同食器洗い機の上段カゴの斜視図である。尚、上記従来の食器洗い機と同一部分については、同一符号を付してその説明を省略する。
【００１９】
図１から３において、本実施の形態における食器洗い機は、洗浄槽１内に、食器類１０を収納する上段カゴ４が設けられ、その上段カゴ４の内側には、左右に分割する壁面２０が設けられ、その壁面２０により、その上段カゴ４の上面の開口部が、右側の右開口部４ａと、左側の左開口部４ｂとに分割されている。２１は、上段カゴ４の上面の開口部の一部である右開口部４ａを覆うフタで、その上面は、図に示すように傾斜している。
【００２０】
フタ２１は、図３に示すように、上段カゴ４の壁面２０で分割された右側の下面に収納できるように構成されている。
【００２１】
なお、上段カゴ４の壁面２０と、フタ２１には、十分に洗浄水が通るように、それぞれ開口部２０ａ、２１ａが多数設けられている。
【００２２】
次に、上記のように構成された本実施の形態における食器洗い機の上段カゴ４の動作について説明する。
【００２３】
使用者が、上段カゴ４の壁面２０で分割された右側に、弁当箱の小さな仕切りや小さな食品容器等の樹脂食器類１０ａをセットしたい時は、上段カゴ４の下面に収納したフタ２１を取り出し、樹脂食器類１０ａをセットする。
【００２４】
セット後、図２に示すように、フタ２１で、上段カゴ４上面の右開口部４ａを覆う。これにより、上段カゴ４内側に設けた壁面２０と、上段カゴ４の右側の壁面２０、前後の壁面２０、下面の壁面２０とフタ２１で、上段カゴ４にセットした小さな食品容器等の樹脂食器類１０ａの周囲が囲われる。それ故、樹脂食器類１０ａが、ノズル３から噴射される洗浄水の噴射の力で飛ばされ、上段カゴ４から落下することは無いものである。
【００２５】
以上のように、本実施の形態によれば、簡単な構成で、弁当箱の小さな仕切りや小さな食品容器等の樹脂食器類１０ａも、上段カゴ４にセットして、ノズル３から噴射される洗浄水で飛ばされることも無く、確実に洗浄することができるものである。
【００２６】
また、フタ２１は、使用しない時、上段カゴ４の下面に収納しているので、一般の食器類１０を洗浄するときなど、普段の使用にも何ら邪魔にならないものである。
【００２７】
また、フタ２１の上面を傾斜させているので、フタ２１を上段カゴ４の下面に収納し、その上に、湯呑などの糸底のある食器類１０を伏せ置きしてセットした時は、食器類１０が傾くので、糸底に溜まる水滴を少なくでき、湯呑などの糸底のある食器類１０の乾燥性能を向上させることができるものである。
【００２８】
さらに、図４に示すように、フタ２１を、上段カゴ４の内側に立てて収納できるように、上段カゴ４の一部にフタ収納部２２を設けるようにすれば、フタ２１を、上段カゴ４の下面に収納するときより、ノズル３から噴射される洗浄水を、食器類１０等の洗浄物に直接当てることができるので、洗浄性能も良くなるものである。何故なら、フタ２１を上段カゴ４の下面に収納するときは、上段カゴ４の壁面とフタ２１との２重の壁面構成になるので、上段カゴ４の壁面だけに比べ、洗浄水がブロックされやすくなるからである。
【００２９】
よって、皿類等の食器類１０の汚れのように、強い洗浄水の力が必要な時は、フタ２１を立てて収納し、湯呑等の食器類１０の汚れのように、強い洗浄水の力が要らないときは、上段カゴ４の下面にフタ２１を収納し、その上に湯呑等の食器類１０を傾けて収納することで、乾燥性能を向上させる使い方ができるものである。
【００３０】
以上のように、本実施の形態によれば、従来の食器洗い機に比べ、食器類１０のセット性、洗浄、乾燥性能も向上した食器洗い機を提供することができるものである。
【産業上の利用可能性】
【００３１】
以上のように、本発明に係る食器洗い機は、安価な構成で、食器類等のセット性に優れたもので、家庭用、業務用の各種食器洗い機に広く適用できるものである。
【図面の簡単な説明】
【００３２】
【図１】本発明の実施の形態１における食器洗い機の側断面図
【図２】同食器洗い機の上段カゴの斜視図
【図３】同食器洗い機の上段カゴの斜視図
【図４】上段カゴの他の例を示す斜視図
【図５】従来の食器洗い機の側断面図
【図６】同食器洗い機の正面図
【符号の説明】
【００３３】
１  洗浄槽
３  ノズル
４  上段カゴ（カゴ）
４ａ  右開口部
１０  食器類
１０ａ  樹脂食器類
２０  壁面
２１  フタ
【図１】
2008125702.tif 000003
【図２】
2008125702.tif 000004
【図３】
2008125702.tif 000005
【図４】
2008125702.tif 000006
【図５】
2008125702.tif 000007
【図６】
2008125702.tif 000008